(57)【要約】      （修正有）【課題】上下左右各方向のタッチ検出感度を略同一に保ちつつ、誤検出の頻度を低減することを可能にしたタッチセンサを有する電子機器を提供する。【解決手段】第一の操作部材１１と第二の操作部材１２を有する電子機器において、第二の操作部材１２は、第一の操作部材１１の左上近傍に配置され、第一の操作部材１１は、上下左右それぞれの方向のタッチ操作を検出可能な４つのタッチ検出部１１２ｂ、１１２ｃ、１１２ｄ、１１２ｅを具え、上方向のタッチ検出部１１２ｂと左方向のタッチ検出部１１２ｄの間は不感帯があり、上方向と右方向のタッチ検出部１１２ｂ、１１２ｅとの境界１１２ｇは、４５°を超える位置から９０°未満の範囲内に設けられ、上方向のタッチ検出部１１２ｂと不感帯との境界は、−４５°を超える位置から４５°未満の範囲内に設けられる。【選択図】図５
2017021174.tif 000002
【特許請求の範囲】
【請求項１】
第一の操作部材（１１）と第二の操作部材（１２）を有する電子機器（１）において、
前記第二の操作部材（１２）は、前記第一の操作部材（１１）の左上近傍に配置され、
前記第一の操作部材（１１）は、上下左右それぞれの方向のタッチ操作を検出可能な４つのタッチ検出部（１１２ｂ、１１２ｃ、１１２ｄ、１１２ｅ）を有するタッチセンサを具え、
前記タッチ検出部（１１２ｂ、１１２ｃ、１１２ｄ、１１２ｅ）群は、円座型に配置され、
１２時の方向から時計回りに前記上方向のタッチ検出部（１１２ｂ）、前記右方向のタッチ検出部（１１２ｅ）、前記下方向のタッチ検出部（１１２ｃ）、前記左方向のタッチ検出部（１１２ｄ）の順に配置され、
前記上方向のタッチ検出部（１１２ｂ）と前記左方向のタッチ検出部（１１２ｄ）の間はタッチ検出を行わない不感帯があり、
１２時の方向を基準とし、時計回りに角度を定義したとき、
前記上方向と前記右方向のタッチ検出部（１１２ｂ、１１２ｅ）との境界（１１２ｇ）は、４５°を超える位置から９０°未満の位置までの範囲内に設けられ、
前記上方向のタッチ検出部（１１２ｂ）と前記不感帯との境界は、−４５°を超える位置から４５°未満の位置までの範囲内に設けられることを特徴とする電子機器（１）。
【請求項２】
前記左方向のタッチ検出部（１１２ｄ）と前記不感帯との境界は、２７０°を超える位置から３１５°未満の位置までの範囲内に設けられることを特徴とする請求項１に記載の電子機器（１）。
【請求項３】
前記電子機器（１）は、グリップ部（１４）と表示部（１５）を有し、
前記第二の操作部材（１２）と前記タッチセンサは、
前記グリップ部（１４）と前記表示部（１５）の間に配置されることを特徴とする請求項１又は請求項２に記載の電子機器（１）。
【請求項４】
前記第一の操作部材（１１）は、回転操作が可能な回転操作部材（１１１）を有し、
前記上下左右それぞれの方向のタッチ操作は、前記回転操作部材（１１１）表面をタッチすることで行うことを特徴とする請求項１乃至請求項３の何れか一項に記載の電子機器（１）。
【請求項５】
前記上方向および前記右方向のタッチ検出部（１１２ｂ、１１２ｅ）の角度範囲が、同一であることを特徴とする請求項１乃至請求項４の何れか一項に記載の電子機器（１）。
【請求項６】
前記上方向、前記左方向および前記右方向のタッチ検出部（１１２ｂ、１１２ｄ、１１２ｅ）の角度範囲が、同一であることを特徴とする請求項１乃至請求項５の何れか一項に記載の電子機器（１）。
【請求項７】
前記電子機器（１）のグリップ部（１４）を使用者の右手（２）で把持した状態で、
前記使用者の右手（２）の親指（２１）で上方向のタッチ操作を行う際の
前記右手（２）親指（２１）の中心線（２１ａ）と前記電子機器（１）の上下方向の垂線（１１２ｋ）との第一の成す角をθ１とし、
前記上方向のタッチ検出部（１１２ｂ）と前記右方向のタッチ検出部（１１２ｅ）の境界（１１２ｇ）と前記垂線（１１２ｋ）の第二の成す角θ２とするとき、
θ２＞１８０°−２θ１となることを特徴とする請求項１乃至請求項６の何れか一項に記載の電子機器（１）。
【請求項８】
前記第一の成す角θ１が６０°であることを特徴とする請求項１乃至請求項７の何れか一項に記載の電子機器（１）。
【請求項９】
前記電子機器（１）のグリップ部（１４）を使用者の右手（２）で把持した状態で、
前記使用者の右手（２）の親指（２１）で下方向のタッチ操作を行う際の
前記右手（２）親指（２１）の中心線（２１ａ）と前記電子機器（１）の上下方向の垂線（１１２ｋ）との第三の成す角をθ３とし、
前記下方向のタッチ検出部（１１２ｃ）と前記右方向のタッチ検出部（１１２ｅ）の境界（１１２ｈ）と前記垂線（１１２ｋ）の第四の成す角θ４としたとき、
θ４＞１８０°−２θ３となることを特徴とする請求項１乃至請求項７の何れか一項に記載の電子機器（１）。
【請求項１０】
前記第三の成す角θ３が８０°であることを特徴とする請求項１乃至請求項９の何れか一項に記載の電子機器（１）。
【請求項１１】
前記４つのタッチ検出部（１１２ｂ、１１２ｃ、１１２ｄ、１１２ｅ）は、多層基板（１１２）内に設けられ、
前記下方向のタッチ検出部（１１２ｃ）は、他のタッチ検出部（１１２ｂ、１１２ｄ、１１２ｅ）よりも、前記回転操作部材（１１１）から遠い層に配置されることを特徴とする請求項１乃至請求項１０の何れか一項に記載の電子機器（１）。
【請求項１２】
前記上方向のタッチ検出部（１１２ｂ）は、他のタッチ検出部（１１２ｃ、１１２ｄ、１１２ｅ）よりも、前記回転操作部材（１１１）に近い層に配置されることを特徴とする
請求項１乃至請求項１１の何れか一項に記載の電子機器（１）。
【請求項１３】
前記上方向のタッチ検出部（１１２ｂ）は、０°から６７°３０′までの範囲に、
前記右方向のタッチ検出部（１１２ｅ）は、６７°３０′から１３５°までの範囲に、
前記下方向のタッチ検出部（１１２ｃ）は、１３５°から２２５°までの範囲に、
前記左方向のタッチ検出部（１１２ｄ）は、２２５°から２９２°３０′までの範囲にそれぞれ配置されることを特徴とする請求項１乃至請求項１２の何れか一項に記載の電子機器（１）。
【発明の詳細な説明】
【技術分野】
【０００１】
本発明は、電子機器に関し、特に電子機器に備えられるタッチセンサのタッチ検出部の配置に関する。
【背景技術】
【０００２】
従来、図１０に示すように上下左右の十字方向のタッチをそれぞれ検出する４つのタッチ検出部１１２ｂ、１１２ｃ、１１２ｄ、１１２ｅを有するタッチセンサがある。タッチ検出部１１２ｂ、１１２ｃ、１１２ｄ、１１２ｅは、使用者の操作性を考慮した場合、タッチセンサの中心点１１２ｊを通る垂線１１２ｋおよび水平線１１２ｑに対して線対称に、等間隔に配置することが望ましい。また、タッチ検出感度は、タッチ検出部１１２ｂ、１１２ｃ、１１２ｄ、１１２ｅの面積に比例するため、タッチ検出部１１２ｂ、１１２ｃ、１１２ｄ、１１２ｅが配置される範囲は可能な限り大きくすることが好適である。
【０００３】
具体的には図１０に示すように、１２時の方向を０°、時計回りをプラス方向とし、角度を定義すると(以下で示す角度は、すべてこの定義に従うものとする。)、上方向のタッチ検出部１１２ｂを−４５°〜４５°、右方向のタッチ検出部１１２ｅを４５°〜１３５°、下方向のタッチ検出部１１２ｃを１３５°〜２２５°、左方向のタッチ検出部１１２ｄを２２５°〜３１５°にそれぞれ配置することが好適である。このように配置することによって、上下左右各方向のタッチ検出部１１２ｂ、１１２ｃ、１１２ｄ、１１２ｅそれぞれの中心が、０°、１８０°、２７０°、９０°となり、操作感が使用者の感覚と一致する。
【０００４】
また、タッチ検出部１１２ｂ、１１２ｃ、１１２ｄ、１１２ｅの各角度範囲は、全て９０°であるため、タッチ検出部１１２ｂ、１１２ｃ、１１２ｄ、１１２ｅの各面積も略同一となる。よって、タッチ検出感度もおおむね同じとすることができる。
【０００５】
しかし、図１０に示すようにタッチ検出部１１２ｂ、１１２ｄ近傍にボタン１２が配置されている場合、このボタン１２を押下する際に、使用者がタッチ検出部１１２ｂ、１１２ｄに意図せずタッチしてしまい、誤操作を引き起こしてしまうことがある。
【０００６】
この誤操作対策として、特許文献１では、このボタン１１２を押下している間は、タッチ検出部１１２ｂ、１１２ｄによるタッチ検出を行わないようにする技術が開示されている。また、図１１のように、図１０に示すタッチ検出部１１２ｂ、１１２ｄの一部の領域のタッチ検出を無効化し、不感帯とするという対策が行われることがある。
【先行技術文献】
【特許文献】
【０００７】
【特許文献１】特開２００９−２１８３８号公報
【発明の概要】
【発明が解決しようとする課題】
【０００８】
しかしながら、上述の特許文献１に開示された従来技術では、ボタン１２を押下する前後に、使用者がタッチ検出部１１２ｂ、１１２ｄに誤って触れてしまった場合の誤操作を防止することはできない。
【０００９】
また、図１１のようにタッチ検出部１１２ｂ、１１２ｄの一部の領域のタッチ検出を無効化する場合、タッチ検出部１１２ｂ、１１２ｄの面積に依存するタッチ検出感度が損なわれ、タッチ検出感度が上下左右の方向によって異なることにつながる。この結果として、操作性が低下してしまう懸念がある。
【課題を解決するための手段】
【００１０】
上記の目的を達成するために、本発明に係る電子機器は、
第一の操作部材（１１）と第二の操作部材（１２）を有する電子機器（１）において、
前記第二の操作部材（１２）は、前記第一の操作部材（１１）の左上近傍に配置され、
前記第一の操作部材（１１）は、上下左右それぞれの方向のタッチ操作を検出可能な４つのタッチ検出部（１１２ｂ、１１２ｃ、１１２ｄ、１１２ｅ）を有するタッチセンサを具え、
前記タッチ検出部（１１２ｂ、１１２ｃ、１１２ｄ、１１２ｅ）群は、円座型に配置され、
１２時の方向から時計回りに前記上方向のタッチ検出部（１１２ｂ）、前記右方向のタッチ検出部（１１２ｅ）、前記下方向のタッチ検出部（１１２ｃ）、前記左方向のタッチ検出部（１１２ｄ）の順に配置され、
前記上方向のタッチ検出部（１１２ｂ）と前記左方向のタッチ検出部（１１２ｄ）の間はタッチ検出を行わない不感帯があり、
１２時の方向を基準とし、時計回りに角度を定義したとき、
前記上方向と前記右方向のタッチ検出部（１１２ｂ、１１２ｅ）との境界（１１２ｇ）は、４５°を超える位置から９０°未満の位置までの範囲内に設けられ、
前記上方向のタッチ検出部（１１２ｂ）と前記不感帯との境界は、−４５°を超える位置から４５°未満の位置までの範囲内に設けられることを特徴とする。
【発明の効果】
【００１１】
本発明によれば、上下左右各方向のタッチ検出感度を略同一に保ちつつ、誤検出の頻度を低減することを可能にしたタッチセンサを有する電子機器を提供することができる。
【図面の簡単な説明】
【００１２】
【図１】本発明の実施形態に係る一眼レフカメラを背面から見た斜視図である。
【図２】本発明の実施形態に係る第一の操作部材の分解模式図である。
【図３】本発明の実施形態に係る第一の操作部材の断面図である。
【図４】本発明の実施形態に係るフレキシブルプリント基板の斜視図である。
【図５】本発明の実施形態に係る一眼レフカメラの第一の操作部材周辺の部分拡大図である。
【図６】本発明の実施形態に係る第一の操作部材を操作した時の状態を表す図である。
【図７】上方向のタッチ操作を行う際の各部の位置関係を表す模式図である。
【図８】下方向のタッチ操作を行う際の各部の位置関係を表す模式図である。
【図９】本発明の実施形態に係るフレキシブルプリント基板の部分断面図である。
【図１０】従来構成での第一の操作部材周辺の部分拡大図である。
【図１１】図１０とは異なる従来構成での第一の操作部材周辺の部分拡大図である。
【発明を実施するための形態】
【００１３】
以下に、本発明の好ましい実施の形態を、添付の図面に基づいて詳細に説明する。
【００１４】
図１は本発明の実施形態に係るタッチセンサを有する一眼レフカメラ１を背面から見た斜視図である。
【００１５】
一眼レフカメラ１は、第一の操作部材１１、第二の操作部材１２、第三の操作部材１３、グリップ部１４、表示部１５を有する。第二の操作部材１２および第三の操作部材１３は、共に押しボタンであり、押下することによって一眼レフカメラ１を操作することができる。グリップ部１４は、この場所を使用者の不図示の右手２で握ることによって、一眼レフカメラ１を把持することができる。表示部１５は、一眼レフカメラ１で撮影した画像などを表示する。
【００１６】
第二の操作部材１２は、第一の操作部材１１の左上に配置される。また、第三の操作部材は、第一の操作部材１１の中央に配置される。第一の操作部材１１、第二の操作部材１２および第三の操作部材１３は、グリップ部１４と表示部１５の間に配置される。
【００１７】
次に、第一の操作部材１１の構成について説明する。図２、図３に、それぞれ第一の操作部材１１の分解模式図および断面図を示す。第一の操作部材１１は、回転操作部材１１１、フレキシブルプリント基板１１２およびベース部材１１３によって構成される。回転操作部材１１１は、使用者が回転させることが可能であり、この回転操作によって、一眼レフカメラ１の操作を行うことが可能である。
【００１８】
フレキシブルプリント基板１１２の円座型形状部１１２ａは、ベース部材１１３の貼り付け部１１３ａに不図示の両面テープによって貼付され、回転操作部材１１１に覆われる。フレキシブルプリント基板１１２は、図４に示すように、上下左右それぞれの方向のタッチを検出するタッチ検出部１１２ｂ、１１２ｃ、１１２ｄ、１１２ｅを有する。タッチ検出部１１２ｂ、１１２ｃ、１１２ｄ、１１２ｅは、金属導体のパターンであり、パターン周辺の静電容量の変化を検出する。人体がこのタッチ検出部１１２ｂ、１１２ｃ、１１２ｄ、１１２ｅに近接すると、タッチ検出部１１２ｂ、１１２ｃ、１１２ｄ、１１２ｅ周辺の静電容量が変化するため、使用者のタッチを検出することが可能となる。
【００１９】
使用者が回転操作部材１１１の表面の一部をタッチすると、回転操作部材１１１の直下に配置されたフレキシブルプリント基板１１２の上下左右各方向のタッチ検出部１１２ｂ、１１２ｃ、１１２ｄ、１１２ｅのいずれかが静電容量の変化を検出し、使用者のタッチを検知する。これにより、使用者は、回転操作部材１１１表面をタッチするタッチ操作によって、一眼レフカメラ１を操作することが可能となる。
【００２０】
以上に示すように、第一の操作部材１１は、回転操作部材１１１を回転させることによる回転操作と、回転操作部材１１１表面をタッチすることによるタッチ操作の２つが可能である。
【００２１】
次に、図５を用いて、タッチ検出部１１２ｂ、１１２ｃ、１１２ｄ、１１２ｅの配置について説明する。図５は、一眼レフカメラ１における第一の操作部材１１周辺の拡大図であり、説明のため回転操作部材１１１を不図示としている。図５に示すように、タッチ検出部１１２ｂ、１１２ｃ、１１２ｄ、１１２ｅはそれぞれ、０〜６７°３０′、６７°３０′〜１３５°、１３５〜２２５°、２２５°〜２９２°３０′に配置される。この配置は図１０に示す基本配置から、
１．上方向のタッチ検出部１１２ｂ左半分の領域のタッチ検出の無効化
２．右方向のタッチ検出部１１２ｅ上側１／４の領域のタッチ検出を無効化し、タッチ検出を無効化した領域に上方向のタッチ検出部１１２ｂを延伸し、割り当て
３．左方向のタッチ検出部１１２ｄ上側１／４の領域のタッチ検出の無効化
を行った配置である。
【００２２】
この配置では、第二の操作部材１２周辺の−６７°３０′〜０°の範囲にはタッチ検出部１１２ｂ、１１２ｃ、１１２ｄ、１１２ｅが配置されず、不感帯となる。この配置によって、使用者が第二の操作部材１２を押下する際に、誤ってタッチ検出部１１２ｂ、１１２ｅにタッチする誤操作を防止する。また、この配置とすることによって、上、左、右それぞれの方向のタッチ検出部１１２ｂ、１１２ｄ、１１２ｅの角度範囲は全て６７°３０′となり、各パターンの面積が略同一となる。タッチの検出感度は、タッチ検出部１１２ｂ、１１２ｄ、１１２ｅのパターンの面積に比例する。よって、各タッチ検出部１１２ｂ、１１２ｄ、１１２ｅのタッチ検出感度を略同一とするために、各タッチ検出部１１２ｂ、１１２ｄ、１１２ｅのパターンの角度範囲は等しいほうが好適である。
【００２３】
次に、上方向のタッチ検出部１１２ｂと右方向のタッチ検出部１１２ｅの境界１１２ｇおよび下方向のタッチ検出部１１２ｃと右方向のタッチ検出部１１２ｅの境界１１２ｈの位置について説明する。
【００２４】
図６は、使用者が第一の操作部材１１を操作している状態を表す図である。第一の操作部材１１は、一眼レフカメラ１を使用者の右手２で、図６に示すような握り方でグリップ部１４を把持した状態で、右手２の親指２１で操作することを想定している。このような状態で操作する場合、上方向や下方向のタッチ操作をしようとした際に右方向のタッチ検出部１１２ｂにも近接してしまい、誤操作が生じる可能性がある。そのため、上方向、下方向および右方向のタッチ検出部１１２ｂ、１１２ｃ、１１２ｅの配置は、この誤操作を防止する配置であることが好ましい。
【００２５】
説明を簡素化するため、図５に示すように、フレキシブルプリント基板１１２の円座部１１２ａの中心線を１１２ｆとする。また、図６に示すように、右手２の親指２１の中心線を２１ａと定義する。
【００２６】
図７は、使用者の親指２１が上方向のタッチ操作を行う際の親指とタッチ検出部１１２ｂ，１１２ｅの位置関係を中心線２１ａと中心線１１２ｆ、境界１１２ｇを用いて模式的に表した図である。使用者が上方向のタッチ操作を行う際、一般的に点１１２ｉの位置をタッチすると考えられる。その際、親指２１の中心線２１ａは、点１１２ｉを通る。この時、中心線１１２ｆの中心点１１２ｊおよび点１１２ｉを通る垂線１１２ｋと中心線２１ａの成す角θ１は、第一の操作部材１１と第一の操作部材１１を操作する際に想定されるグリップ位置との位置関係によって決まる。
【００２７】
本実施例における一眼レフカメラ１においては、前述の通り、図６のような状態で操作することを想定しており、この時の成す角θ１は、およそ６０°となる。図７に示す位置で、親指２１が上方向のタッチ検出部１１２ｂにタッチする時、簡易な幾何学計算より、境界１１２ｇと垂線１１２ｋとの成す角度θ２が１８０°−２θ１よりも大きい場合、中心線２１ａは、中心線１１２ｆの内側では境界１１２ｇと交差しない。そのため、上方向のタッチ操作を行う際に、親指２１は右方向のタッチ検出部１１２ｂに接触しないと考えられる。よって、上方向をタッチする際に、右方向のタッチが誤検出される可能性はほとんどないと言える。
【００２８】
一方、成す角度θ２が１８０°−２θ１より小さい場合、中心線２１ａは、中心線１１２ｆの内側で境界１１２ｇと交差する。そのため、上方向のタッチ操作を行う際、親指２１が右方向のタッチ検出部１１２ｅにも接触すると考えられ、右方向のタッチが誤検出される可能性が高くなる。以上のことから、境界１１２ｇは、θ２＞１８０°−２θ１となる位置に設定するのが望ましい。本実施例に示す構成では、前述の通り、成す角θ１はおよそ６０°であるため、成す角θ２は６０°以上であることが望ましい。図５に示す本実施例におけるタッチ検出部１１２ｂ、１１２ｅの配置では、成す角θ２は６７°３０′となるため、誤検出が生じる可能性は小さいと言える。
【００２９】
同様に、図８を用いて、下方向のタッチ検出部１１２ｃと右方向のタッチ検出部１１２ｅの境界１１２ｈについて説明する。使用者が下方向のタッチ操作を行う際、一般的に点１１２ｌの位置をタッチすると考えられる。その際、親指２１の中心線２１ａは、点１１２ｌを通る。ここで、垂線１１２ｋと中心線２１ａの成す角をθ３とする。この成す角θ３は、成す角θ１同様、第一の操作部材１１と第一の操作部材１１を操作する際に想定されるグリップ位置との位置関係によって決まる。本実施例における一眼レフカメラ１においては、下方向のタッチ操作を行う際も、上方向のタッチ操作を行う場合と同様、図６のように、右手２で一眼レフカメラ１のグリップ部１４を把持した状態で、右手２の親指２１で点１１２ｌ周辺をタッチすることを想定している。
【００３０】
この時の成す角θ３は、およそ８０°となる。図８に示す位置で、親指２１が下方向のタッチ検出部１１２ｃにタッチする時、簡易な幾何学計算より、境界１１２ｈと垂線１１２ｋとの成す角度θ４が１８０°−２θ３よりも大きい場合、中心線２１ａは、中心線１１２ｆの内側では境界１１２ｈと交差しない。そのため、下方向のタッチ操作を行う際に、親指２１は右方向のタッチ検出部１１２ｂには接触しないと考えられる。よって、下方向のタッチ操作を行う際に、右方向のタッチが検出される可能性はほとんどないと言える。
【００３１】
一方、成す角度θ４が１８０°−２θ３より小さい場合、中心線２１ａは、中心線１１２ｆの内側で境界１１２ｈと交差する。そのため、下方向のタッチ操作を行う際、親指２１が右方向のタッチ検出部１１２ｅにも接触すると考えられ、右方向のタッチが誤検出される可能性が高くなる。以上のことから、境界１１２ｈは、θ４＞１８０°−２θ３となる位置に設定するのが望ましい。本実施例に示す構成では、前述の通り、成す角θ３はおよそ８０°であるため、成す角度θ４は２０°以上であることが望ましい。図５に示す本実施例におけるタッチ検出部１１２ｃ、１１２ｅの配置では、成す角θ４は４５°となるため、誤検出が生じる可能性は小さいと言える。
【００３２】
図９は図５に示す円座部１１２ａを中心線１１２ｆで０°から３６０°までで切った断面図である。フレキシブルプリント基板１１２は、多層フレキシブルプリント基板であり、第一の層１１２ｍ、第二の層１１２ｎ、第三の層１１２ｏおよび第四の層１１２ｐの計４つの層を有する。すべての層の中で、第一の層１１２ｍが回転操作部材１１１に最も近い。そのため、第一の層１１２ｍが、タッチ操作を行った時の使用者の親指２１に最も近い層である。図９のように、上方向のタッチ検出部１１２ｂは第一の層１１２ｍに、右方向と左方向のタッチ検出部１１２ｅ、１１２ｄは第二の層１１２ｎに、下方向のタッチ検出部１１２ｃは第三の層１１２ｐに配置する。
【００３３】
タッチ検出部の検出感度は、前述のタッチ検出部のパターンの面積に加えて、例えば右手２の親指２１など、タッチを行った人体の部位とタッチ検出部のパターンとの距離に比例する。したがって、パターンの面積が広ければ広いほど、人体とタッチ検出部のパターンが近ければ近いほど、検出感度は高くなる。
【００３４】
下方向のタッチ検出部１１２ｃの角度範囲は、９０°であるため、他の方向のタッチ検出部１１２ｂ，１１２ｄ，１１２ｅと比較して角度範囲が広く、面積も大きい。そのため、下方向のタッチ検出部１１２ｃを他のタッチ検出部１１２ｂ，１１２ｄ，１１２ｅと同じ層、または、より回転操作部材１１１に近い層に配置すると、他のタッチ検出部と比べ、下方向のタッチ検出部１１２ｃの検出感度が高くなってしまう。検出感度が他のタッチ検出部と比較して高いと、操作感が他の方向とは異なってしまい、使用者に違和感を与える可能性がある。
【００３５】
そのため、検出感度は同じであるほうが好ましい。しかし、検出感度を低下させるために、下方向のタッチ検出部１１２ｃの角度範囲を狭くし、面積を小さくすると、下方向のタッチ検知部１１２ｃが存在する領域が小さくなってしまい、結果としてタッチを検知可能な範囲が狭くなってしまう。上述のような誤検知が生じる懸念の少ない下方向のタッチ検出部１１２ｃにおいて、タッチ検知範囲を狭める角度範囲の縮小は好ましくない。そこで、図９のように、下方向のタッチ検出部１１２ｃを他のタッチ検出部と比べて最も回転操作部材１１１から遠くなる第３の層１１２ｏに配置する。
【００３６】
これによって、他のタッチ検出部１１２ｂ，１１２ｄ，１１２ｅと比較して、タッチ操作時の人体との距離が遠くなるため、下方向のタッチ検出部１１２ｃの角度範囲が広いままに、下方向のタッチ検出感度を他の方向のタッチ検出感度とおおむね同じとすることができる。
【００３７】
上方向のタッチ検出部１１２ｂは他のタッチ検出部と比べ、図１０に示す基本配置から大幅に異なる位置に配置されている。そのため、使用者がタッチする場所が図７に示す１１２ｊよりも左にずれてしまう場合などにおいて、タッチを検出しづらくなる可能性がある。そのため、上方向のタッチ検出部１１２ｂは他のタッチ検出部と比較して、検出感度を高くしておく方が好適である。したがって、図９に示すように上方向のタッチ検出部１１２ｂは、他のタッチ検出部よりも回転操作部材１１１に近い層である、第一の層１１２ｍに配置することが好ましい。
【００３８】
以上、本発明の好ましい実施形態について説明したが、本発明はこれらの実施形態に限定されず、その要旨の範囲内で種々の変形及び変更が可能である。
【符号の説明】
【００３９】
１  一眼レフカメラ、１１２ｂ  上方向のタッチ検出部、
１１２ｃ  下方向のタッチ検出部、１１２ｄ  左方向のタッチ検出部、
１１２ｅ  右方向のタッチ検出部、１２  第二の操作部材
【図１】
2017021174.tif 000003
【図２】
2017021174.tif 000004
【図３】
2017021174.tif 000005
【図４】
2017021174.tif 000006
【図５】
2017021174.tif 000007
【図６】
2017021174.tif 000008
【図７】
2017021174.tif 000009
【図８】
2017021174.tif 000010
【図９】
2017021174.tif 000011
【図１０】
2017021174.tif 000012
【図１１】
2017021174.tif 000013